(57)【要約】【課題】気体の供給量を周辺の状況に応じて設定して使用できる気体供給器を提供する。【解決手段】一側が長手方向へ貫通形成され、他側が容器に締結固定された閉鎖部材の中央部に貫通形成された吐出口と連通する流通路と、流通路内で吐出口の上部方向へ第１のばねの弾性力を受けるように支持され、流通路内で長手方向へ摺動可能に流通路と気密に接続されたプランジャーと、プランジャーの上方に流通路内で長手方向へすべり移動可能にして、第２のばねによって容器の方向へ付勢された可動ブロック部材と、可動ブロック部材の中央部に形成された開口を貫通する柄と、この柄の終端に設けられた弁胴体と、開口の底面を囲繞して閉鎖するように弁胴体に取り付けられた弁シートとを有する可動弁部材と、可動弁部材に一端が支持された第３のばねの他側を支持し、可動弁部材に上向きに突成された柄が固定された加圧ボタン部材とを含む気体吐出量制御弁を設ける。【選択図】図４
2008229308.tif 000002
【特許請求の範囲】
【請求項１】
気体が圧縮貯蔵された容器と、この容器に螺結式によって螺合されて圧縮気体の吐出量を設定値に制御するための気体吐出量制御弁とからなる気体供給器において、
前記気体吐出量制御弁は、一側が長手方向へ貫通形成され、他側が前記容器に締結固定された閉鎖部材の中央部に貫通形成された吐出口と連通する流通路と、
前記流通路内で前記吐出口の上部方向へ第１のばねの弾性力を受けるように支持され、前記流通路内で長手方向へ摺動可能に前記流通路と気密に接続されたプランジャーと、
前記プランジャーの上方に前記流通路内で前記長手方向へすべり移動可能にして、第２のばねによって前記容器の方向へ付勢された可動ブロック部材と、
前記可動ブロック部材の中央部に形成された開口を貫通する柄と、この柄の終端に設けられた弁胴体と、前記開口の底面を囲繞して閉鎖するように前記弁胴体に取り付けられた弁シートとを有する可動弁部材と、
前記可動弁部材に一端が支持された第３のばねの他側を支持し、前記可動弁部材に上向きに突成された前記柄が固定された加圧ボタン部材とを含むことを特徴とする気体供給器。
【請求項２】
前記可動ブロック部材の中央の開口周辺には、前記開口と同心的に第３のばねの受部が下向けに凹成され、前記開口のさらに大きい同心円上には前記第２のばねを支持するための第２のばねの受部が一部陥没された形状に凹成されたことを特徴とする請求項１に記載の気体供給器。
【請求項３】
前記プランジャーの上部には上側が拡開された形状の空間ルームが凹成されたことを特徴とする請求項１に記載の気体供給器。
【請求項４】
前記閉鎖部材の中央部に形成された吐出口は突成されたノズル状であり、前記プランジャーには、前記ノズル状の突出された吐出口を収容する大きさの凹部が底部に備えられたことを特徴とする請求項１に記載の気体供給器。
【発明の詳細な説明】
【技術分野】
【０００１】
この発明は、人体の呼吸に必要な酸素等の気体の吐出量を制御するための制御弁を備え、携帯に適した気体供給器に関し、さらに詳しくは、容器（タンク）から供給される酸素を吸入する際、人間が多く密集される百貨店、公園、ターミナル、空港等での気体の吐出量と、エネルギー消費の多いヘルスクラブ、ボーリング場、水泳場等の室内スポーツセンター、ディスコ場、サウナおよび風呂場等での酸素吐出量をユーザーに容易に調節して使用できるようにされた気体吐出量の制御弁を備えた気体供給器に関する。
【背景技術】
【０００２】
近来において、酸素を必要とする患者なり一般人は、酸素供給マスクなりゲニュリヤーコ等の器具によって酸素吸入を行っている。
【０００３】
かかる器具は、酸素を効果的にユーザーに供給して吸入できるようにするが、酸素を吐出させるための別段の制御器具が欠けているため、酸素の消耗量の統制が不可能であることから、長時間にわたる使用とか、空気の混濁な地域での使用量および新鮮な空気が提供される環境での使用量等には無関係に酸素を常時設定された量だけ供給することから、長期間の使用には不都合な点が多かった。
【０００４】
さらに、大型の高圧タンクを酸素の供給源として使用することで、使用時にほかの業務を執ることができない等、移動性および携帯性に劣るという問題点もある。
【発明の開示】
【発明が解決しようとする課題】
【０００５】
したがって、この発明は前記問題点を解決するためになされたものであって、この発明の目的は、気体の供給量を周辺の状況に応じて設定して使用できるとともに、その移動性および携帯性に優れた気体供給器を提供することにある。
【課題を解決するための手段】
【０００６】
これを実現するためにこの発明は、気体が圧縮貯蔵された容器と、この容器に螺結式によって螺合されて圧縮気体の吐出量を設定値に制御するための気体吐出量制御弁とからなる気体供給器において、前記気体吐出量制御弁は、一側が長手方向へ貫通形成され、他側が前記容器に締結固定された閉鎖部材の中央部に貫通形成された吐出口と連通する流通路と、前記流通路内で前記吐出口の上部方向へ第１のばねの弾性力を受けるように支持され、前記流通路内で長手方向へ摺動可能に前記流通路と気密に接続されたプランジャーと、前記プランジャーの上方に前記流通路内で前記長手方向へすべり移動可能にして、第２のばねによって前記容器の方向へ付勢された可動ブロック部材と、前記可動ブロック部材の中央部に形成された開口を貫通する柄と、この柄の終端に設けられた弁胴体と、前記開口の底面を囲繞して閉鎖するように前記弁胴体に取り付けられた弁シートとを有する可動弁部材と、前記可動弁部材に一端が支持された第３のばねの他側を支持し、前記可動弁部材に上向きに突成された前記柄が固定された加圧ボタン部材とを含むことを特徴とする。
【０００７】
また、前記可動ブロック部材の中央の開口周辺には、前記開口と同心的に第３のばねの受部が下向けに凹成され、前記開口のさらに大きい同心円上には前記第２のばねを支持するための第２のばねの受部が一部陥没された形状に凹成されるように構成するのが好ましい。
【０００８】
また、プランジャーの上部には、上側が拡開された形状の空間ルームが凹成されるように構成するのが好ましい。
【０００９】
さらに、前記閉鎖部材の中央部に形成された吐出口は突成されたノズル状であり、前記プランジャーには、前記ノズル状の突出された吐出口を収容する大きさの凹部が底部に備えられるように構成するのが好ましい。
【発明の効果】
【００１０】
この発明は、使用後に前記可動ボタン部材を押さえて、容易に内部気体の吐出量を制御する作動を通して、気体（例えば、酸素）の吐出量をユーザーに適した量に設定できるようにすることで、より安全な気体供給器を提供するとともに、ユーザーの健康増進を図りうるとともに、気体供給量の段階別の設定化によって機器を随時調節しなければならない煩しさを解消できる等のきわめて優れる効果を有する。
【発明を実施するための最良の形態】
【００１１】
図１において、酸素吸入用の気体供給器１０は、気体として酸素ガスが圧縮貯蔵された酸素供給源としての容器Ｓと、容器Ｓに螺結式によって螺合されて圧縮酸素ガスの吐出量を設定値に制御するための気体吐出量制御弁１００からなる。この容器Ｓとしては、耐久性に優れた高圧容器が用いられる。
【００１２】
図２ないし図４において、前記気体吐出量制御弁１００は、可動弁部材１５０に連通可能に一側が長手方向へ貫通形成され、他側は前記容器Ｓに締結固定された閉鎖部材１１０の中央部に貫通形成された吐出口１１１と連通する流通路１０１と、前記流通路１０１内で前記吐出口１１１の上部方向へ第１のばね１２１の弾性力を受けるように支持され、前記流通路１０１内で長手方向へ摺動可能に前記流通路１０１と気密に接続されたプランジャー１３０と、前記プランジャー１３０の上方に前記流通路１０１内で前記長手方向へすべり移動可能にして、第２のばね１２３によって前記容器Ｓの方向へ付勢された可動ブロック部材１４０と、前記可動ブロック部材１４０の中央部に形成された開口１４１ａを貫通する柄１５１と、この柄１５１の終端に設けられた弁胴体１５５と、前記開口１４１ａの底面を囲繞して閉鎖するように前記弁胴体１５５に取り付けられた弁シート１５３とを有する可動弁部材１５０と、前記可動弁部材１５０に一端が支持された第３のばね１２５の他側を支持し、前記可動弁部材１５０に上向きに突成された柄１５１が挿入されて固定される挿入口１６０ａを備えた加圧ボタン部材１６０を含んでいる。
【００１３】
また、前記可動ブロック部材１４０の底面には、リング状のシーリング部材１４１が固着されている。
【００１４】
さらに、前記可動ブロック部材１４０の中央の開口１４１ａの周辺には、前記開口１４１ａと同心的に下向けに凹成された第３のばね１２５の受部１４５が設けられており、前記開口１４１ａのさらに大きい同心円上には前記第２のばね１２３を支持するための第２のばね１２３の受部１４３が前記第３のばね１２５の受部１４５とともに一部陥没された形状に凹成されている。
【００１５】
また、前記プランジャー１３０の上部には、上側が拡開された形状の空間ルーム１３１が凹成されている。
【００１６】
さらに、前記閉鎖部材１１０の中央部に形成された吐出口１１１は突成されたノズル状であり、前記プランジャー１３０には前記ノズル状の突出された吐出口１１１を収容する大きさの凹部１３３が底部に設けられている。
【００１７】
また、前記気体吐出量制御弁１００の本体上部には、排気口１０５に接続されるボス部１１ａが突成されたカップ状の蓋１１が結合されている。
【００１８】
一方で、符号１３３ａは孔を気密に閉鎖するために突成された密閉部、符号Ｏは気密を維持するためのシール用のＯリング、符号１３５は前記プランジャー１３０の空間ルーム１３１と連通するように前記プランジャー１３０に貫通形成された連通口、符号１６５は前記プランジャー１３０を支持し、下部は前記閉鎖部材１１０と螺合される結合体、符号１７０は前記本体と結合体１６５を一体に結合させるとともに、気体吐出量制御弁１００の下部カバー機能を行うカバー体、符号１８０は前記カバー体１７０の上部に係止具１７１を介して結合されて前記加圧ボタン部材１６０の長手方向への移動をガイドするように、側面に係止突部１８１が形成された上部ガイド部材である。
【００１９】
つぎに、この発明による気体供給器の作動について説明する。まず、図５及び図６に示すように、蓋１１を気体吐出量制御弁１００から取り外す。次に、図７Ａに示すように、蓋１１のボス部１１ａをカバー体１７０に嵌め込んで排気口１０５に接続する。
【００２０】
蓋１１を口に当てた状態で、図７Ｂに示すように、前記加圧ボタン部材１６０を所定の深さ（例えば、「Ｈ」）だけ加圧移動させると、前記加圧ボタン部材１６０に結合された可動弁部材１５０が下方に「Ｈ」だけ移動される。この可動弁部材１５０の移動に連動して前記可動弁部材１５０の弁胴体１５５と弁シート１５３が前記可動ブロック部材１４０の開口１４１ａを開放させる。
【００２１】
この際、前記プランジャー１３０の上部の空間ルーム１３１内には、前記第１のばね１２１によって弾力的に上向きに付勢されているため、前記プランジャー１３０の長手方向に直交する方向へ貫通形成された連通口１３５を通して前記容器Ｓ内からの酸素ガスが充填された状態になされている。
【００２２】
さらに、可動弁部材１５０の弁シート１５３が前記流通路１０１の開口１４１ａ側へ移動して、前記開口１４１ａの開口度が小さくなるように前記加圧ボタン部材１６０をやや上向きに移動させると、前記プランジャー１３０の上部は下部より断面績が大きいため、前記プランジャー１３０が下向きに移動して前記閉鎖部材１１０の吐出口１１１を閉じる。
【００２３】
これによって、前記加圧ボタン部材１６０を若干押圧すると、前記可動弁部材１５０に形成された排気口１０５と該排気口１０５に連結された蓋１１を通して排気される排気量が減少されるようにプランジャー１３０が下方に移動する。他方、前記加圧ボタン部材１６０を強く圧入して前記排気口１０５を通じた排気量が増すようになると、再次プランジャー１３０が上方に移動して前記閉鎖部材１１０の吐出口１１１からの吐出量が増されつつこれに連動して前記排気口１０５を通した排気量も増加される。よって、前記加圧ボタン部材１６０の圧入量に応じて自動的に酸素ガス排気量が制御される。
【００２４】
一方、前記流通路１０１内に強い圧力が存在するか、前記可動弁部材１５０と前記プランジャー１３０の移動上の時間間隔が発生する等の異状状態が発生されて異状高圧が前記プランジャー１３０の上部で発生する場合があるが、この際には前記可動ブロック部材１４０を支持していた前記第２のばね１２３の弾性支持力に勝りながら前記可動ブロック部材１４０がフローテイング移動されるようになる。
【００２５】
これによって、前記可動ブロック部材１４０の上方への移動により、前記可動弁部材１５０の弁胴体１５５と弁シート１５３が流通路１０１の開口１４１ａを開放させる状態が達成される。したがって、前記プランジャー１３０上部の異状高圧現象が解消され、より安全となる。
【００２６】
さらに、前記可動ブロック部材１４０の開口１４１ａを中心とする第２のばね１２３の受部１４３と第３のばね１２５の受部１４５を設けることによって、前記第２および第３のばね１２３、１２５間の移動上の干渉を低減することができる。
【００２７】
そのうえ、前記開口１４１ａの周辺には前記第２のばね１２３の受部１４３の凹成によってボス部１４０ａが形成されるので、急激な圧力低減を防止することによって、より安全な気体供給器としての役割を果す。
【００２８】
この際、前記ボス部１４０ａの高さを低める場合には、前記プランジャー１３０の上部の空間をもっと拡大する効果を付加的に図られるようになることによって、過度な第２のばね１２３の張力を設計に反映しなくても前記ボス部１４０ａを利用して前記可動ブロック部材１４０の上方への移動を阻止するストッパー機能を行うようにすることによって、設計の効率を高めうる付加機能を図られるようになる。
【００２９】
したがって、上述によってわかるように、前記加圧ボタン部材１６０の圧入量によって、本体内部、すなわち前記流通路１０１に内装されたプランジャー１３０が加圧移動されつつ、前記プランジャー１３０の凹部１３３と閉鎖部材１１０の吐出口１１１との間の間隙が可変されるので、前記容器Ｓから前記吐出口１１１、連通口１３５および排気口１０５を通して排気される吐出気体量を制御することができる。
【００３０】
これによって、本発明は、衛生的であり身体に無害でありながら使用が便利であるため、酸素を必要とする患者はもとより、一般人にも簡便な酸素吸入器として愛用されて優れるものである。
【００３１】
上記実施形態は、容器に酸素を充填した気体供給器（酸素吸入器）であるが、容器に喘息治療用気体を充填した吸入器としても好適である。勿論、本発明は、これらに限られず、任意の気体を充填した気体供給器として利用することができるものである。
【図面の簡単な説明】
【００３２】
【図１】この発明の一実施例に従う気体供給器を示す斜視図である。
【図２】気体供給器の内部構成要素を分解して示す分解組立斜視図である。
【図３】気体供給器の内部構造を詳細に例示するための部分断面斜視図である。
【図４】気体供給器の全体縦断面図である。
【図５】気体供給器から蓋を外して気体供給器の側方向へ蓋が連結される状態を示す全体斜視図である。
【図６】図５に示す気体供給器に対応する全体縦断面図である。
【図７Ａ】加圧ボタン部材が非押圧時の状態を示す縦断面図である。
【図７Ｂ】加圧ボタン部材が押圧された状態を示す縦断面図である。
【符号の説明】
【００３３】
Ｓ  容器
１００  気体吐出量制御弁
１０１  流通路
１０５  排気口
１１０  閉鎖部材
１１１  吐出口
１２１  第１のばね
１２３  第２のばね
１２５  第３のばね
１３０  プランジャー
１４０  可動ブロック部材
１４１ａ  開口
１５０  可動弁部材
１６０  加圧ボタン部材
【図１】
2008229308.tif 000003
【図２】
2008229308.tif 000004
【図３】
2008229308.tif 000005
【図４】
2008229308.tif 000006
【図５】
2008229308.tif 000007
【図６】
2008229308.tif 000008
【図７Ａ】
2008229308.tif 000009
【図７Ｂ】
2008229308.tif 000010